(57)【要約】【課題】  データ展開装置（ＲＩＰ）を追加したり構成を大幅に変更することなく、複数の印刷装置に各々印刷処理を行わせる。【解決手段】  印刷機で印刷するための刷版を製版装置用のデータに基づいて作成する製版装置16と、プリンタ用のデータに基づき該データが表す画像を記録媒体へ直接印刷するプリンタ12と、ページ記述言語で記述された印刷データから製版装置用又はプリンタ用のデータを生成するＲＩＰ24を含んで構成された印刷システム10において、ＲＩＰ24から転送されたデータを画像記憶部52に一時記憶した後に、製版装置16又はプリンタ12の処理速度に同期した速度で製版装置16又はプリンタ12へ出力するＢＥＰ20を設け、ＲＩＰ24では、生成したプリンタ用のデータをメモリ38に一時記憶させるのみでＢＥＰ20へ転送し、生成した製版装置用のデータについては、データ蓄積部36を蓄積記憶させ、メモリ38にプリンタ用のデータが記憶されておらず、プリンタ用のデータを生成する処理も行われていないときにデータ蓄積部36から読み出してＢＥＰ20へ転送する。【選択図】        図２
2005258960.tif 000002
【特許請求の範囲】
【請求項１】
第１の印刷画像データが表す画像を印刷機で記録媒体へ印刷するための刷版を前記第１の印刷画像データに基づいて作成する第１印刷装置と、第２の印刷画像データに基づき該第２の印刷画像データが表す画像を記録媒体へ直接印刷する第２印刷装置と、ページ記述言語で記述された印刷データを前記第１又は第２の印刷画像データへ展開するデータ展開装置を含んで構成された印刷システムを制御する印刷制御装置であって、
前記データ展開装置から転送された前記第１又は第２の印刷画像データを記憶手段に一時記憶した後に、対応する印刷装置の処理速度に同期した速度で前記対応する印刷装置へ出力する出力装置と、
前記データ展開装置に設けられ、前記データ展開装置から前記出力装置へ転送される印刷画像データを一旦蓄積するための蓄積手段と、
前記データ展開装置から転送される第１及び第２の印刷画像データのうち、予め設定された一方の印刷画像データを前記蓄積手段に蓄積させることなく前記出力装置へ転送させると共に、他方の印刷画像データを前記蓄積手段に一旦蓄積させた後に前記出力装置へ転送させる制御手段と、
を備えたことを特徴とする印刷制御装置。
【請求項２】
前記制御手段は、前記出力装置へ転送すべき前記一方の印刷画像データが前記データ展開装置に存在しているか、前記データ展開装置で前記一方の印刷画像データが生成される予定が有る間は、前記蓄積手段に蓄積されている前記他方の印刷画像データの前記出力装置への転送を停止させ、前記出力装置への前記一方の印刷画像データの転送を優先させることを特徴とする請求項１記載の印刷制御装置。
【請求項３】
前記記憶手段の空き容量を検知する検知手段を更に備え、
前記制御手段は、前記出力装置へ転送すべき前記一方の印刷画像データが存在しており、前記検知手段によって検知された空き容量が前記転送すべき前記一方の印刷画像データの容量よりも小さい場合には、前記空き容量の変化を監視しながら前記一方の印刷画像データを前記記憶手段が記憶可能なサイズずつ分けて転送させることを特徴とする請求項２記載の印刷制御装置。
【請求項４】
前記記憶手段の空き容量を検知する検知手段を更に備え、
前記制御手段は、前記出力装置へ転送すべき前記一方の印刷画像データが前記データ展開装置に存在しておらず、前記データ展開装置で前記一方の印刷画像データが生成される予定も無く、かつ前記検知手段によって検知された空き容量が前記蓄積手段に蓄積されている前記他方の印刷画像データの容量以上の場合に、前記蓄積手段に蓄積されている前記他方の印刷画像データを前記出力装置へ一度に転送させる
ことを特徴とする請求項１記載の印刷制御装置。
【請求項５】
前記一方の印刷画像データの設定は変更可能とされ、デフォルトとして第２の印刷画像データが設定されていることを特徴とする請求項１記載の印刷制御装置。
【請求項６】
第１の印刷画像データが表す画像を印刷機で記録媒体へ印刷するための刷版を前記第１の印刷画像データに基づいて作成する第１印刷装置と、第２の印刷画像データに基づき該第２の印刷画像データが表す画像を記録媒体へ直接印刷する第２印刷装置と、ページ記述言語で記述された印刷データを前記第１又は第２の印刷画像データへ展開するデータ展開装置を含んで構成された印刷システムを制御する印刷制御方法であって、
前記データ展開装置から転送された前記第１又は第２の印刷画像データを記憶手段に一時記憶した後に、対応する印刷装置の処理速度に同期した速度で前記対応する印刷装置へ出力する出力装置を設けると共に、
前記データ展開装置から転送される第１及び第２の印刷画像データのうち、予め設定された一方の印刷画像データを、前記データ展開装置に設けられた蓄積手段に蓄積させることなく前記出力装置へ転送させると共に、他方の印刷画像データを前記蓄積手段に一旦蓄積させた後に前記出力装置へ転送させる
ことを特徴とする印刷制御方法。
【発明の詳細な説明】
【技術分野】
【０００１】
本発明は印刷制御装置及び方法に係り、特に、第１の印刷画像データが表す画像を印刷機で記録媒体へ印刷するための刷版を第１の印刷画像データに基づいて作成する第１印刷装置と、第２の印刷画像データに基づき第２の印刷画像データが表す画像を記録媒体へ直接印刷する第２印刷装置を含む印刷システムを制御する印刷制御装置及び印刷制御方法に関する。
【背景技術】
【０００２】
家庭やオフィスにおける印刷では、多数種の印刷物が比較的少部数印刷されることが多く、印刷物のサイズも限られている（例えばＡ３以下等）ため、印刷装置としては電子写真プロセス（ゼログラフィ）を用いたカラープリンタが適している。一方、印刷業界では少数種の印刷物を大量に印刷する都合上、従来は殆どの場合、印刷データに基づいて版下を生成し、生成した版下を使用して印刷を行っていたが、近年のＤＴＰ（DeskTop Publishing／Prepress）の普及による印刷工程の変化、所謂「印刷のデジタル革命」により、ＤＴＰデータから直接印刷を行う「ダイレクト印刷」又は「オンデマンド印刷」が採用されるようになってきている。ダイレクト印刷（オンデマンド印刷）では、従来の印刷（例えばオフセット印刷）における写植等の紙焼き（印画紙）、版下、網ネガ、網ポジ、ＰＳ版等の中間成果物を生成せずにプリプレス工程を完全にデジタル化することで、製版装置（ＣＴＰ：Computer To Plate）により印刷データ（ＤＴＰデータ）から刷版を直接作成し、作成した刷版を印刷機にセットすることで印刷が行われる。
【０００３】
また、上述したカラープリンタ及び製版装置は何れも印刷データから直接印刷（刷版の作成）を行うことが可能であり、カラープリンタを用いた印刷と製版装置（及び印刷機）を用いた印刷は互いに異なる特徴を有していることから、印刷装置としてプリンタと製版装置を各々設けると共に、これらの印刷装置や端末、印刷データのラスタ化（ビットマップ形式の印刷画像データへの変換）等の処理を行う装置（ＲＩＰ：Raster Image Processor）等を通信回線を介して接続し、ユーザが端末を介して印刷の実行を指示する際に、プリンタ及び製版装置の何れを用いて印刷を行わせるかを個々の印刷ジョブを単位として選択可能とした印刷システムの構築も検討されている。
【０００４】
上記に関連して特許文献１には、複数の複写機の画像転送速度より各複写機の画像転送速度比を判定し、ホストコンピュータから入力されてフレームメモリに記憶された画像データを、判定した画像転送速度比でＦＩＦＯへ読み出して複写機へ転送することで、画像データ転送速度の差を吸収し、画像データの読み出し効率を向上させると共に、複数の複写機による同時記録を実現する技術が開示されている。
【特許文献１】特開平９−８１７２２号公報
【発明の開示】
【発明が解決しようとする課題】
【０００５】
一般に、製版装置の印刷（製版）速度は１時間当り１６枚（１頁当りＣ,Ｍ,Ｙ,Ｋ各色の刷版を各々作成するため１時間当り４頁）程度であるので、製版装置で印刷が開始されると印刷物の頁数にも依るが製版装置は長時間連続して稼働されることが多い。そして、印刷画像データを生成して製版装置に出力する製版装置用のＲＩＰは、製版装置と１対１で接続されており、製版装置における印刷速度に同期した速度で印刷画像データを製版装置へ転送するので、製版装置が高稼働率で稼働されているとすると、ＲＩＰも製版装置のための処理に長時間拘束されることになる。このため、製版装置や製版装置用のＲＩＰを既に所持している顧客が、プリンタを追加することで前述の印刷システムを構築しようとした場合、既に所持している製版装置用のＲＩＰがプリンタでの印刷に用いる印刷画像データを生成することも可能な構成であるにも拘らず、プリンタでの印刷に用いる印刷画像データを生成するために高価なＲＩＰや該ＲＩＰにインストールするフォント等もプリンタと共に新たに購入する必要があることが殆どであり、顧客の経済的負担が大きいという問題がある。
【０００６】
この問題を解決するために、前述した特許文献１に記載の技術を適用することも考えられるが、この技術は個々の複写機に対する処理を細分化し、個々の複写機に対する細分化した処理を画像転送速度比に応じた割合で交互に実行するものであり、この技術を適用した場合、ＲＩＰでは、製版装置へ出力するための印刷画像データを生成する処理とプリンタへ出力するための印刷画像データを生成する処理を細分化して交互に実行することになる。印刷画像データを生成する処理では大容量のメモリ等の大量のシステム資源を必要とするので、この処理を細分化して交互に実行したとすると、処理の切り替えに時間がかかりオーバヘッドが増加することで、ＲＩＰにおける処理効率が大幅に低下すると共に、ＲＩＰの構成自体も大幅に変更する必要があるので現実的ではない。
【０００７】
本発明は上記事実を考慮して成されたもので、データ展開装置（ＲＩＰ）を追加したり構成を大幅に変更することなく、複数の印刷装置に各々印刷処理を行わせることができる印刷制御装置及び印刷制御方法を得ることが目的である。
【課題を解決するための手段】
【０００８】
上記目的を達成するために本発明に係る印刷制御装置は、第１の印刷画像データが表す画像を印刷機で記録媒体へ印刷するための刷版を前記第１の印刷画像データに基づいて作成する第１印刷装置と、第２の印刷画像データに基づき該第２の印刷画像データが表す画像を記録媒体へ直接印刷する第２印刷装置と、ページ記述言語で記述された印刷データを前記第１又は第２の印刷画像データへ展開するデータ展開装置を含んで構成された印刷システムを制御する印刷制御装置であって、前記データ展開装置から転送された前記第１又は第２の印刷画像データを記憶手段に一時記憶した後に、対応する印刷装置の処理速度に同期した速度で前記対応する印刷装置へ出力する出力装置と、前記データ展開装置に設けられ、前記データ展開装置から前記出力装置へ転送される印刷画像データを一旦蓄積するための蓄積手段と、前記データ展開装置から転送される第１及び第２の印刷画像データのうち、予め設定された一方の印刷画像データを前記蓄積手段に蓄積させることなく前記出力装置へ転送させると共に、他方の印刷画像データを前記蓄積手段に一旦蓄積させた後に前記出力装置へ転送させる制御手段と、を備えたことを特徴としている。
【０００９】
本発明に係る印刷制御装置が制御対象としている印刷システムは、第１の印刷画像データが表す画像を印刷機で記録媒体へ印刷するための刷版を第１の印刷画像データに基づいて作成する第１印刷装置（例えば製版装置（ＣＴＰ：Computer To Plate))と、第２の印刷画像データに基づき該第２の印刷画像データが表す画像を記録媒体へ直接印刷する第２印刷装置（例えばプリンタ）が設けられており、ページ記述言語で記述された印刷データを第１又は第２の印刷画像データへ展開するデータ展開装置（例えばＲＩＰ：Raster Image Processor或いはＦＥＰ：Front End Processor）を含んで構成されている。上記構成の印刷システムに対し、本発明に係る印刷制御装置は、データ展開装置から転送された第１又は第２の印刷画像データを記憶手段に一時記憶した後に、対応する印刷装置（第１の印刷画像データであれば第１印刷装置、第２の印刷画像データであれば第２印刷装置）の処理速度に同期した速度で対応する印刷装置へ出力する出力装置（例えばＢＥＰ：Back End Processor）を備えている。
【００１０】
このように、第１印刷装置や第２印刷装置への印刷画像データの出力は出力装置によって行われると共に、第１印刷装置や第２印刷装置へ出力される第１又は第２の印刷画像データはデータ展開装置から転送された後に記憶手段に一時記憶されるので、データ展開装置から出力装置への印刷画像データの転送を印刷装置の処理速度や印刷装置における印刷処理の実行タイミングとは無関係に行うことができ、データ展開装置が印刷画像データを印刷装置へ直接転送する場合と比較してデータ展開装置における処理効率が向上し、単一のデータ展開装置により、印刷データを第１の印刷画像データへ展開する処理及び印刷データを第２の印刷画像データへ展開する処理を各々行うことが可能となる。また、出力装置による対応する印刷装置への第１又は第２の印刷画像データの出力は、対応する印刷装置の処理速度に同期した速度で行われるので、印刷装置側の構成を変更する必要もない。
【００１１】
また本発明は、上記のように印刷装置の処理速度に同期した速度で印刷装置へ印刷画像データを出力することを出力装置によって行わせるので、第１印刷装置の稼働率と第２印刷装置の稼働率が大きく相違している場合には（特に第１印刷装置が高稼働率で稼働されている場合には）、従前のＲＩＰ（データ展開装置）に代って出力装置が、高稼働率で稼働される印刷装置に対する処理に長時間拘束されることになる。このため本発明は、データ展開装置から出力装置へ転送される印刷画像データを一旦蓄積するための蓄積手段がデータ展開装置に設けられており、制御手段は、データ展開装置から転送される第１及び第２の印刷画像データのうち、予め設定された一方の印刷画像データを蓄積手段に蓄積させることなく出力装置へ転送させると共に、他方の印刷画像データを蓄積手段に一旦蓄積させた後に出力装置へ転送させる。
【００１２】
なお、上記の「予め設定された一方の印刷画像データ」としては、例えば稼働率が低い（出力装置を拘束する時間が少ない）方の印刷装置に対応する印刷画像データを適用することができる。制御手段が上記の制御を行うことにより、予め設定された一方の印刷画像データが優先的に出力装置へ転送されることになる。これにより、他方の印刷画像データに対応する印刷装置が高稼働率で稼働しており、出力装置が該印刷装置に対する処理に拘束されている状態でも、データ展開装置で印刷データを前記一方の印刷画像データへ展開する処理が行われることで、データ展開装置から出力装置へ転送すべき前記一方の印刷画像データが生ずると、該一方の印刷画像データが優先的に出力装置へ転送されるので、対応する印刷装置へ出力すべき他方の印刷画像データを出力装置が大量に出力している途中で、対応する印刷装置への前記一方の印刷画像データの出力が出力装置によって割込実行されることになり、前記一方の印刷画像データに対応する印刷装置でも印刷処理を行わせることができる。
【００１３】
このように、本発明によれば、第１印刷装置及び第２印刷装置に各々印刷処理を行わせることを、各印刷装置に対する処理を各々細分化して交互に実行するようにデータ展開装置の構成を変更することなく実現することができ、データ展開装置（ＲＩＰ）を追加したり構成を大幅に変更することなく、複数の印刷装置に各々印刷処理を行わせることができる。
【発明の効果】
【００１４】
以上説明したように本発明は、データ展開装置から転送された第１又は第２の印刷画像データを記憶手段に一時記憶した後に、対応する印刷装置の処理速度に同期した速度で対応する印刷装置へ出力する出力装置を設け、データ展開装置から転送される第１及び第２の印刷画像データのうち、予め設定された一方の印刷画像データを、データ展開装置に設けられた蓄積手段に蓄積させることなく出力装置へ転送させると共に、他方の印刷画像データを蓄積手段に一旦蓄積させた後に出力装置へ転送させるようにしたので、データ展開装置（ＲＩＰ）を追加したり構成を大幅に変更することなく、複数の印刷装置に各々印刷処理を行わせることができる、という優れた効果を有する。
【発明を実施するための最良の形態】
【００１５】
以下、図面を参照して本発明の実施形態の一例を詳細に説明する。図１には本実施形態に係る印刷システム１０が示されている。印刷システム１０は、印刷装置として、入力された印刷画像データに基づき電子写真プロセスによりフルカラーのトナー像を形成し、所定の記録用紙に転写することで、入力された印刷画像データが表すカラー画像を記録用紙に直接印刷する印刷装置として機能するプリンタ１２と、入力された印刷画像データが表す画像を印刷機（プレス装置）１４で記録用紙に印刷するための印刷版を入力された印刷画像データに基づいて作成する製版装置（ＣＴＰ：Computer To Plate）１６を備えている。なお、本実施形態において、印刷システム１０は本発明に係る印刷システムに、製版装置１６は本発明に係る第１印刷装置に、プリンタ１２は本発明に係る第２印刷装置に各々対応している。
【００１６】
プリンタ１２及び製版装置１６は通信線１８Ａ，１８Ｂを介してＢＥＰ（BackEnd Processor）２０に接続されており、ＢＥＰ２０は、多数台のクライアント端末２２（図１では単一のクライアント端末２２のみ示す）、ＲＩＰ（Raster Image Processor）２４及びサーバ・コンピュータ２５と通信回線２６（例えば通信速度が１Ｇｂｐｓ（Giga bit per second）程度の汎用の通信プロトコルによる高速有線ＬＡＮ（Local Area Network）等）を介して互いに接続されている。なお印刷システム１０は、原稿の画像を読み取って画像データを出力するスキャナ装置や印刷出力の確認のためのプリンタプルーファを接続することも可能とされている。
【００１７】
なお、製版装置１６としては、例えば円筒形の回転ドラムの外周面にシート状の印刷版を巻き付けて固定し、回転ドラムを回転させると共に、入力された特定色成分の印刷データに応じて変調した光ビームを回転ドラムと一体回転する印刷版に照射することで印刷版に印刷画像を記録した後に、印刷画像を記録した印刷版を現像することで、特定の色成分の印刷版（刷版）を製作する構成を採用することができる。この場合、上記工程をＣ,Ｍ,Ｙ,Ｋの各色成分について繰り返すことで各色成分に対応する印刷版を得ることができる。製版装置１６によって製作された各色成分の印刷版は印刷機１４に各々セットされて印刷に使用される。
【００１８】
本実施形態に係る印刷システム１０では、印刷装置に対してユーザがクライアント端末２２からオンラインで印刷を指示可能とされていると共に、印刷装置のうちプリンタ１２を用いて印刷を行わせるか、製版装置１６を用いて印刷を行わせるか（製版装置１６によって印刷版を製作させ、製作された印刷版を印刷機にセットして印刷を行わせるか）を任意に選択可能とされている。プリンタ１２を用いた印刷は、印刷版の作成及び作成した印刷版を印刷機にセットする等の作業が不要で、印刷を指示してから短時間で印刷を完了させることができる（印刷速度は６０枚／分程度）が、印刷可能な記録用紙のサイズに制限がある（通常Ａ３サイズ以下）ので、所定サイズ以下の多数種の印刷物を比較的少量印刷する場合に利用される。一方、製版装置１６を用いた印刷では、製版装置１６による印刷版の製作に比較的長い時間がかかる（例えば印刷版１枚当り数分程度）と共に製作された印刷版を印刷機にセットする手間もかかるものの、印刷機への印刷版のセットが完了してしまえば高速に印刷を行うことができ（例えば数百枚／分）、印刷物のサイズの制限も緩やかであるため、大サイズの印刷物を印刷する場合や少数種の印刷物を大量に印刷する場合に利用される。
【００１９】
クライアント端末２２はパーソナル・コンピュータ（ＰＣ）から成り、任意のＯＳ（Operating System）及び任意のアプリケーション・ソフトがインストールされている。本実施形態において、ユーザはクライアント端末２２を操作して任意のアプリケーション・ソフトを利用することで印刷対象の原稿を作成する。この原稿は文字原稿であってもよいし、写真や図表等の画像であってもよいし、文字と画像が混在している原稿であってもよい。印刷対象の原稿の作成が完了すると、ユーザは印刷対象の原稿の印刷を指示する操作を行う。この操作では、印刷を行わせる印刷装置や印刷部数、印刷物のサイズや紙質等、実行すべき印刷ジョブの処理条件を規定するパラメータも同時に指定される。ユーザによって上記操作が行われると、ページ記述言語（ＰＤＬ：Page Description Language）によって印刷対象の原稿を記述した印刷データがクライアント端末２２からＲＩＰ２４へ送信されると共に、ユーザによって設定された印刷ジョブの処理条件に基づき、該処理条件がパラメータとして設定された所定のフォーマット（例えばＪＤＦ：Job Definition Format）の印刷制御情報（ジョブチケットともいう）が生成され、生成された印刷制御情報がクライアント端末２２からサーバ・コンピュータ２５へ送信される。
【００２０】
ところで、本実施形態に係る印刷制御情報は、企画・制作から配送迄の印刷物製造に関する情報（例えば印刷物の製造仕様、制作・印刷・後加工等の各工程での処理手順、個々の印刷ジョブや工程の状況や履歴等）を包括的に記述可能とされており、サーバ・コンピュータ２５で受信された印刷制御情報は、印刷システム１０のクライアント端末２２、ＲＩＰ２４及びＢＥＰ２０が参照・更新可能な状態でサーバ・コンピュータ２５に保管される。そして、印刷の実行を指示したユーザ（例えば企業の営業部門の担当者）以外の担当者（例えば企業の工務部門の担当者等）によりクライアント端末２２を介して印刷制御情報が閲覧され、必要な情報が追加設定されることで、ユーザの指示に合致した印刷物が製造されるように各工程での処理手順を指示する印刷制御情報の設定が完了する。
【００２１】
次にＲＩＰ２４について説明する。ＲＩＰ２４は本発明に係るデータ展開装置に対応している。本実施形態に係るＲＩＰ２４は、従来のＲＩＰのようにプリンタ１２（或いは製版装置１６）における印刷を制御するプリンタコントローラ機能が設けられておらず、プリンタ１２で印刷すべき印刷データ及び製版装置１６で印刷すべき印刷データを各々処理する点で従来のＲＩＰと相違している。
【００２２】
すなわち、ＲＩＰ２４はパーソナル・コンピュータ（ＰＣ）等のコンピュータで構成され、図２に示すように、データ格納部３０、ＲＩＰ処理部３２、圧縮処理部３４、ＨＤＤ（Hard Disk Drive）から成るデータ蓄積部３６、メモリ３８、インタフェース（Ｉ／Ｆ）部４０及び転送制御部４２を備えている。データ格納部３０には、ＲＩＰ２４がクライアント端末２２から受信した印刷データ（ＰＤＬで記述されＲ,Ｇ,Ｂで色が表現された印刷データ）が順次格納される。ＲＩＰ処理部３２にはＰＤＬ解釈部及びイメージャとして機能するデコンポーザ、所謂ＲＩＰエンジンが組み込まれている。ＲＩＰ処理部３２は印刷データをデータ格納部３０から取り出して解釈し、Ｒ,Ｇ,Ｂ→Ｃ,Ｍ,Ｙ,Ｋの色変換及びラスタイメージデータ（ビットマップ形式の印刷画像データ）への展開をページ単位で行って、印刷装置での印刷に使用可能な印刷データを生成するＲＩＰ（Raster Image Process）処理を行う。
【００２３】
なお、プリンタ１２での印刷に用いられるプリンタ用印刷画像データと、製版装置１６での印刷（刷版の作成）に用いられる製版装置用印刷画像データはフォーマットが相違しており（例えばプリンタ１２での印刷に用いられる印刷画像データは解像度が600dpiで１ドット当りＣ,Ｍ,Ｙ,Ｋ各８ビットで階調を表現するデータであるのに対し、製版装置１６での印刷に用いられる印刷画像データは解像度が2400dpi又は4800dpiで１ドット当りＣ,Ｍ,Ｙ,Ｋ各１ビットの（複数ドットで階調を表現する）データである等）、ＲＩＰ処理部３２は、サーバ・コンピュータ２５に保管されている印刷制御情報のうち、データ格納部３０から取り出した印刷データに対応する印刷制御情報を参照することで印刷を行わせる印刷装置を認識し、ＰＤＬで記述された印刷データから、認識した印刷装置に適合したフォーマットの印刷画像データを生成するＲＩＰ処理を行う。
【００２４】
またＲＩＰ処理部３２は、データ格納部３０から取り出した印刷データに対応する印刷制御情報に設定されているパラメータを参照することで、取り出した印刷データに対応する印刷ジョブの処理条件に従って印刷時に実行すべき処理を判断し、判断した処理のうちＲＩＰ処理と関わりのある処理を同時に行う。なお、ＲＩＰ処理と関わりのある処理としては、例えば指定された印刷装置がプリンタ１２であれば、例えば回転（Rotation）、１枚の用紙内へのページ割付（N-UP）、リピート処理、用紙サイズ合わせ、デバイス差を補正するＣＭＳ（Color Management System：カラー管理システム）処理、解像度変換、コントラスト調整、圧縮率指定（低／中／高）等が挙げられ、指定された印刷装置が製版装置１６であれば、大サイズの記録用紙に対応する大サイズの印刷面上に複数頁分の画像を割り付ける面付けやスクリーン処理等が挙げられる。
【００２５】
上記処理を行うと、ＲＩＰ処理部３２では、サーバ・コンピュータ２５に保管されている印刷制御情報に設定されている各種パラメータのうち、実行した上記処理に関連するパラメータが除去されるように、前記印刷制御情報を更新する。これにより、サーバ・コンピュータ２５に保管されている印刷制御情報には、印刷時に実行すべき処理を規定するパラメータとして、ＢＥＰ２０で行うべき処理に関連するパラメータ（例えば指定された印刷装置がプリンタ１２であれば、印刷部数、両面／片面、カラー／白黒、合成印刷、ソートの有無、ステープラの有無等を指定するパラメータ）のみが残ることになる。
【００２６】
なお、ＲＩＰ処理部３２で上述した各種処理が行われた印刷データは、同一の印刷データを用いた再印刷（例えばプリンタ１２による印刷において、コレーション（Collation：丁合）設定により複数部を印刷する場合や、一旦印刷した後でもう１枚欲しいときの印刷等）に備え、一定期間又は印刷ジョブ毎に指定された期間、データ格納部３０に保存される。
【００２７】
圧縮処理部３４は、ＲＩＰ処理部３２で生成された印刷画像データに対し、該印刷画像データがプリンタ用印刷画像データか製版装置用印刷画像データかに応じて異なる圧縮方式を適用して圧縮することで圧縮画像ファイルを生成し、生成した圧縮画像ファイルをＴＩＦＦ（Tagged Image File Format）フォーマットの印刷ファイルデータに整形する。なお、ＴＩＦＦフォーマットの印刷ファイルデータのヘッダには、圧縮処理部３４により、印刷を行わせる印刷装置を識別する情報や印刷画像データに対して適用した圧縮方式を表す情報がタグとして付加される。なお、圧縮対象の印刷画像データを、該印刷画像データが表す画像の線画部分に相当するデータと前記画像の背景部分に相当するデータとに分離し、分離した線画部分のデータと背景部分のデータを異なる圧縮方式で圧縮する（例えば線画部分のデータに対しては可逆圧縮（無損失圧縮）を適用し、背景部分のデータに対しては非可逆圧縮を適用する等）ように圧縮処理部３４を構成してもよい。
【００２８】
転送制御部４２は、圧縮処理部３４で生成された印刷ファイルデータが、プリンタ用印刷画像データから生成されたデータか製版装置用印刷画像データから生成されたデータかを判断し、製版装置用印刷画像データから生成された製版装置用印刷ファイルデータはデータ蓄積部３６に蓄積記憶され、プリンタ用印刷画像データから生成されたプリンタ用印刷ファイルデータはメモリ３８に記憶されるように圧縮処理部３４を制御する。なお、データ蓄積部３６は本発明に係る蓄積手段に対応している。また、Ｉ／Ｆ部４０はデータ蓄積部３６及びメモリ３８に各々接続されており、転送制御部４２はＢＥＰ２０の印刷制御部６２（後述）に接続されている。Ｉ／Ｆ部４０は、データ蓄積部３６に蓄積記憶されている製版装置用印刷ファイルデータ及びメモリ３８に記憶されているプリンタ用印刷ファイルデータを各々読み出し、通信回線２６を介してＢＥＰ２０へ送信する（例えばＦＴＯ（Fast Transfer Protocol）等によるファイル転送）が、転送制御部４２は印刷制御部６２と通信を行うことで取得した画像記憶部５２（後述）の空き容量等に基づいて、Ｉ／Ｆ部４０が何れの印刷ファイルデータを読み出してＢＥＰ２０へ転送するかを制御する。
【００２９】
なお、製版装置用印刷画像データ及び製版装置用印刷ファイルデータは本発明に係る第１の印刷画像データに対応しており、プリンタ用印刷画像データ及びプリンタ用印刷ファイルデータは本発明に係る第２の印刷画像データに対応している。
【００３０】
次にＢＥＰ２０について説明する。なお、ＢＥＰ２０は本発明に係る出力装置に対応している。ＢＥＰ２０もＰＣ等のコンピュータで構成され、本発明に係る印刷制御装置として機能する。図２に示すように、ＢＥＰ２０はデータ受信部５０、画像記憶部５２、伸張処理部５４、画像処理部５６、Ｉ／Ｆ部５８，６０及び印刷制御部６２を備えている。なお、画像記憶部５２は本発明に係る記憶手段に対応している。データ受信部５０はＲＩＰ２４から送信された印刷ファイルデータを受信し、画像記憶部５２はデータ受信部５０で受信された印刷ファイルデータを順次記憶し、伸張処理部５４は画像記憶部５２への格納順に画像記憶部５２から印刷ファイルデータを読み出し、読み出した印刷ファイルデータから圧縮画像ファイルを取り出して伸張処理を行う。一方、印刷制御部６２は伸張処理部５４が画像記憶部５２から特定の印刷ファイルデータを読み出す際に、前記特定の印刷ファイルデータに対応する印刷制御情報（サーバ・コンピュータ２５に保管されている印刷制御情報）を参照し、該印刷制御情報に設定されているパラメータによって規定されている印刷ジョブの処理条件に応じて、ＢＥＰ２０の各部の動作を制御する。
【００３１】
すなわち、伸張処理部５４は画像処理部５６及びＩ／Ｆ部５８を介してプリンタ１２に接続されていると共に、Ｉ／Ｆ部６０を介して製版装置１６に接続されており、印刷制御部６２は印刷制御情報に基づき指定された印刷装置がプリンタ１２か製版装置１６かを判断し、伸張処理部５４による伸張処理を経て得られた印刷画像データを画像処理部５６又はＩ／Ｆ部６０へ入力させる。指定された印刷装置が製版装置１６であった場合（入力された印刷画像データが製版装置用の印刷画像データであった場合）、伸張処理部５４から出力された印刷画像データはＩ／Ｆ部６０に入力される。ＢＥＰ２０と製版装置１６との間は通信線１８Ｂを介し汎用的な通信プロトコルによって通信が行われる比較的「疎」な関係にあり、Ｉ／Ｆ部６０に入力された印刷画像データは、製版装置用の印刷画像データとして、汎用的な通信プロトコルにより通信線１８Ｂを介して製版装置１６の処理速度に同期した速度で製版装置１６へ順次転送され、製版装置１６での印刷（印刷版の作成）に用いられる。
【００３２】
一方、指定された印刷装置がプリンタ１２であった場合（入力された印刷画像データがプリンタ用の印刷画像データであった場合）、伸張処理部５４から出力された印刷画像データは画像処理部５６に入力される。画像処理部５６は、入力された印刷画像データに対して回転や用紙上の画像位置の調整、拡大又は縮小等の各種処理を行う機能を備えており、印刷制御部６２は、印刷制御情報に設定されているパラメータで規定されている排出条件及び印刷を行わせるプリンタ１２の構造や特性に応じて、昇順／降順のページの並べ替え、両面印刷時の処理ページ順決定、多次元ルックアップテーブル（ＤＬＵＴ）を用いた色変換・グレーバランス補正・色ずれ補正等のキャリブレーション処理、スクリーン指定処理、プリンタ１２のフィニッシャモジュールで実行されるフィニッシング処理に対応したページ再配置（ステープラやパンチ穴の場所確保）、コレーション（丁合）、排出面（上下）合わせ等のように、プリンタ１２の構造や特性に応じて処理内容が相違する各種処理を画像処理部５６で行わせる。
【００３３】
ＢＥＰ２０とプリンタ１２との間は通信線１８Ａを介し専用の通信プロトコル（プリンタ１２のプリントエンジンに依存した通信プロトコル）によって通信が行われる比較的「密」な関係にあり、画像処理部５６で各種の処理が行われた印刷画像データは、Ｉ／Ｆ部５８・通信線１８Ａを介してプリンタ１２の処理速度に同期した速度でプリンタ１２へ転送される。また、この印刷画像データの転送時に、印刷制御部６２はプリンタ１２の処理速度に同期したタイミングで各種の制御コマンドを送出することで、プリンタ１２の各部の動作を制御し、プリンタ１２で印刷処理を実行させる。また、印刷制御部６２はプリンタ１２の構造や特性に応じて処理内容が相違する紙詰まり時のリカバリ処理も自動的に行う。このように、印刷制御部６２はプリンタ１２の作動を制御するプリンタコントローラとしても機能する。
【００３４】
次に本実施形態の作用として、ＲＩＰ２４の電源が投入されている間、ＲＩＰ２４の転送制御部４２で常時実行されるデータ転送処理について、図３のフローチャートを参照して説明する。なお、図３に示すデータ転送処理は本発明に係る制御手段による制御に対応しており、このデータ転送処理を実行する転送制御部４２は本発明に係る制御手段に対応している。
【００３５】
ステップ１００ではデータ蓄積部３６に対し、該データ蓄積部３６に蓄積記憶されている製版装置用印刷ファイルデータ（転送対象の製版装置用印刷ファイルデータ）の容量Ｆを問い合せることで、蓄積データ容量Ｆを取得する。次のステップ１０２では、ＲＩＰ処理部３２で或る印刷データに対するＲＩＰ処理が完了したか否か判定する。判定が否定された場合はステップ１１２へ移行し、印刷ファイルデータをＢＥＰ２０へ転送する転送処理をＩ／Ｆ部４０が実行中か否か判定する。判定が否定された場合はステップ１１４へ移行し、メモリ３８にプリンタ用印刷ファイルデータが記憶されているか否か判定する。この判定も否定された場合はステップ１１６において、蓄積データ容量Ｆが０よりも大きいか否か（データ蓄積部３６に製版装置用印刷ファイルデータが蓄積記憶されているか否か）判定する。この判定も否定された場合はステップ１０２に戻る。従って、データ蓄積部３６及びメモリ３８に転送対象の印刷ファイルデータが記憶されておらず、新たな印刷ファイルデータも生成されていない間は、ステップ１０２，１１２，１１４，１１６が繰り返される。
【００３６】
ＲＩＰ処理部３２で或る印刷データに対するＲＩＰ処理が完了し、該ＲＩＰ処理によって生成された印刷画像データに対して圧縮処理部３４で圧縮等の処理が行われることで新たな印刷ファイルデータが生成されると、ステップ１０２の判定が肯定されてステップ１０４へ移行し、新たに生成された印刷ファイルデータが製版装置用印刷ファイルデータか否か判定する。判定が肯定された場合はステップ１０８へ移行し、蓄積データ容量Ｆに今回生成された製版装置用印刷ファイルデータの容量を加算した値を蓄積データ容量Ｆに代入することで、蓄積データ容量Ｆを更新する。また、ステップ１１０では今回生成された製版装置用印刷ファイルデータを、転送対象の製版装置用印刷ファイルデータとしてデータ蓄積部３６に蓄積記憶させた後にステップ１２０に戻る。
【００３７】
上記のように、転送対象の製版装置用データがデータ蓄積部３６に蓄積記憶されると、Ｉ／Ｆ部４０で印刷ファイルデータの転送が行われておらず、かつメモリ３８に転送対象のプリンタ用印刷ファイルデータが記憶されていなければ（ステップ１１４の判定が否定されれば）、ステップ１１６の判定が肯定されてステップ１１８へ移行し、ＲＩＰ処理部３２でプリンタ用印刷画像データを生成するＲＩＰ処理が実行中か否かをＲＩＰ処理部３２に問い合せ、該問い合せに対してＲＩＰ処理部３２から受信した回答に基づいて、プリンタ用印刷画像データを生成するＲＩＰ処理が実行中か否かを判定する。判定が肯定された場合は何ら処理を行うことなくステップ１０２に戻る。これにより、メモリ３８に転送対象のプリンタ用印刷ファイルデータが記憶されている場合のみならず、プリンタ用印刷ファイルデータが新たに生成される予定がある場合にも、データ蓄積部３６に蓄積記憶されている転送対象の製版装置用印刷ファイルデータのＢＥＰ２０への転送は停止される。
【００３８】
また、判定が否定された場合はステップ１２０へ移行し、ＢＥＰ２０の印刷制御部６２に対して画像記憶部５２の空き容量Ｂを問い合せ、該問い合せに対する回答を印刷制御部６２から受信することで画像記憶部５２の空き容量Ｂを取得する。次のステップ１２２では、画像記憶部５２の空き容量Ｂがデータ蓄積容量Ｆ以上か否か判定する。この判定が否定された場合は何ら処理を行うことなくステップ１０２に戻る。また、ステップ１２２の判定が肯定された場合はステップ１２４へ移行し、データ蓄積部３６に蓄積されている転送対象の全ての製版装置用印刷ファイルデータをＢＥＰ２０へ一括転送する（バースト転送）。そしてステップ１２６では、蓄積データ容量Ｆを０にしてステップ１０２に戻る。
【００３９】
従って、印刷装置としてプリンタ１２を用いての印刷が指示されておらず、ＲＩＰ処理部３２でプリンタ用印刷画像データを生成するＲＩＰ処理が行われていない間は、転送対象の製版装置用印刷ファイルデータがＲＩＰ２４からＢＥＰ２０へ転送されことになる。そして、ＢＥＰ２０へ転送された製版装置用印刷ファイルデータはＢＥＰ２０の画像記憶部５２に一旦記憶された後に読み出され、ＢＥＰ２０の伸張処理部５４による伸張処理を経て復元された製版装置用の印刷画像データが製版装置１６へ順次出力されることで、製版装置１６による印刷（製版）処理が行われる。
【００４０】
一方、印刷装置としてプリンタ１２を用いての印刷が指示されることで、ＲＩＰ処理部３２でプリンタ用印刷画像データを生成するＲＩＰ処理が行われ、該印刷画像データが圧縮処理部３４に入力されることで、プリンタ用印刷ファイルデータが新たに生成された場合には、ステップ１０４の判定が否定されてステップ１０６へ移行し、ＲＩＰ処理部３２におけるＲＩＰ処理・圧縮処理部３４における圧縮処理等を経て生成されたプリンタ用印刷ファイルデータを、転送対象のプリンタ用印刷ファイルデータとしてメモリ３８に一時記憶させた後にステップ１０２に戻る。
【００４１】
この場合、Ｉ／Ｆ部４０で印刷ファイルデータの転送が行われていないか、又はＩ／Ｆ部４０で行われていた印刷ファイルデータの転送処理が終了すると、ステップ１１２の判定が否定されると共にステップ１１４の判定が肯定されることでステップ１２８へ移行し、ＢＥＰ２０の印刷制御部６２に対して画像記憶部５２の空き容量Ｂを問い合せ、該問い合せに対する回答を印刷制御部６２から受信することで画像記憶部５２の空き容量Ｂを取得する。またステップ１３０では、空き容量Ｂ分又はそれ以下の容量のプリンタ用印刷ファイルデータをメモリ３８から読み出させてＢＥＰ２０へ転送させた後に、ステップ１０２に戻る。なお、ステップ１３０におけるプリンタ用印刷ファイルデータの転送は、詳しくは、画像記憶部５２の空き容量Ｂがメモリ３８に記憶されている転送対象のプリンタ用印刷ファイルデータの容量以上の場合には、メモリ３８に記憶されている転送対象のプリンタ用印刷ファイルデータをメモリ３８から全て読み出させてＢＥＰ２０へ転送させ、画像記憶部５２の空き容量Ｂがメモリ３８に記憶されている転送対象のプリンタ用印刷ファイルデータの容量よりも小さい場合には、メモリ３８に記憶されている転送対象のプリンタ用印刷ファイルデータのうち、画像記憶部５２に記憶可能な容量分のデータのみをメモリ３８から読み出させてＢＥＰ２０へ転送させることにより成される。
【００４２】
印刷ファイルデータの転送が行われている間はステップ１１２の判定が肯定されるが、上記のようにメモリ３８に記憶されているプリンタ用印刷ファイルデータの一部のみ転送した場合にも、メモリ３８に転送対象のプリンタ用印刷ファイルデータが残存している間は、転送処理が完了する毎（ステップ１１２の判定が否定される毎）にステップ１１４の判定が肯定され、データ蓄積部３６に転送対象の製版装置用印刷ファイルデータが蓄積記憶されているか否かに拘らず、画像記憶部５２の空き容量Ｂ分又はそれ以下の容量のプリンタ用印刷ファイルデータがメモリＢＥＰ２０へ転送される。従って、ＲＩＰ２４で生成されたプリンタ用印刷ファイルデータは製版装置用印刷ファイルデータよりも優先的にＢＥＰ２０へ転送されることになる。
【００４３】
そして、ＢＥＰ２０へ転送されたプリンタ用印刷ファイルデータはＢＥＰ２０の画像記憶部５２に一旦記憶される。ＢＥＰ２０では、画像記憶部５２に記憶された印刷ファイルデータを画像記憶部５２への記憶順に読み出し、圧縮画像ファイルに対して伸張処理等の処理を行って対応する印刷装置へ出力するので、画像記憶部５２に記憶されたプリンタ用印刷ファイルデータを読み出すべきタイミングが到来すると、プリンタ用印刷ファイルデータが画像記憶部５２から読み出され、プリンタ用印刷画像データの復元・プリンタ１２への印刷画像データの出力等の処理が実行されることで、プリンタ１２で印刷処理が行われる。
【００４４】
以上説明したように、本実施形態ではＲＩＰ２４と製版装置１６及びプリンタ１２の間にＢＥＰ２０が設けられており、製版装置１６やプリンタ１２への印刷画像データの出力はＢＥＰ２０によって行われると共に、ＲＩＰ２４から転送された印刷ファイルデータはＢＥＰ２０の画像記憶部５２に一時記憶されるので、ＲＩＰ２４からＢＥＰ２０への印刷画像データの転送を製版装置１６やプリンタ１２の処理速度や印刷処理の実行タイミングとは無関係に行うことができ、ＲＩＰ２４が印刷画像データを製版装置１６へ直接転送する場合と比較してＲＩＰ２４における処理効率が向上し、ＲＩＰ２４により、製版装置用印刷画像データの生成及びプリンタ用印刷画像データの生成を各々行うことができる。またＢＥＰ２０は、製版装置１６の処理速度に同期した速度で製版装置用印刷画像データを製版装置１６へ出力すると共に、プリンタ１２の処理速度に同期した速度でプリンタ用印刷画像データをプリンタ１２へ出力するので、製版装置１６やプリンタ１２の構成を変更する必要もなくなる。
【００４５】
また、本実施形態では、プリンタ用の印刷ファイルデータをデータ蓄積部３６に蓄積記憶させることなく（メモリ３８に一時記憶させるのみで）ＢＥＰ２０へ転送させると共に、製版装置用の印刷ファイルデータを画像データをデータ蓄積部３６に一旦蓄積記憶させた後にＢＥＰ２０へ転送させるので、製版装置１６が高稼働率で稼働しており、ＢＥＰ２０が製版装置１６に対する処理に拘束されている状態でも、ＲＩＰ２４でプリンタ用印刷画像データが生成されると、プリンタ用印刷画像データが優先的にＢＥＰ２０へ転送されることで、製版装置用印刷画像データをＢＥＰ２０が大量に出力している途中で、プリンタ用印刷画像データの出力がＢＥＰ２０によって割込実行されることになり、プリンタ１２でも印刷処理を行わせることができる。従って、製版装置１６及びプリンタ１２に各々印刷処理を行わせることを、プリンタ用のＲＩＰを新たに設けたり、ＲＩＰ２４の構成を大幅に変更することなく、製版装置１６及びプリンタに印刷処理を各々行わせることができる。なお、上記各事項は請求項１及び請求項６記載の発明に各々対応している。
【００４６】
また、本実施形態では、転送対象のプリンタ用印刷ファイルデータがメモリ３８に記憶されている場合、及びプリンタ用印刷画像データを生成するＲＩＰ処理がＲＩＰ処理部３２で実行されている場合に、データ蓄積部３６に蓄積記憶されている転送対象の製版装置用の印刷ファイルデータのＢＥＰ２０への転送を停止させ、ＢＥＰ２０へのプリンタ用印刷ファイルデータの転送を優先させるので、転送対象のプリンタ用印刷ファイルデータがメモリ３８に記憶されている場合にのみ、転送対象の製版装置用印刷ファイルデータの転送を停止させる場合と比較して、転送対象のプリンタ用印刷ファイルデータの転送をより確実に優先させることができる。なお、上記事項は請求項２記載の発明に対応している。
【００４７】
更に、本実施形態では、画像記憶部５２の空き容量Ｂを取得し、転送対象のプリンタ用印刷ファイルデータがメモリ３８に記憶されており、空き容量Ｂが転送対象のプリンタ用印刷ファイルデータの容量よりも小さい場合には、空き容量Ｂの変化を監視しながらプリンタ用印刷ファイルデータを画像記憶部５２が記憶可能なサイズずつ分けて転送させるので、空き容量Ｂが転送対象のプリンタ用印刷ファイルデータの容量以上となるのを待ってプリンタ用印刷ファイルデータの転送を開始する場合と比較して、プリンタ用印刷ファイルデータの転送を早期に開始することができ、これに伴いメモリ３８の記憶容量を小さくすることができる。なお、上記事項は請求項３記載の発明に対応している。
【００４８】
また、本実施形態では、画像記憶部５２の空き容量Ｂを取得し、転送対象のプリンタ用印刷ファイルデータがメモリ３８に記憶されておらず、ＲＩＰ２４でプリンタ用印刷ファイルデータを生成するＲＩＰ処理が行われておらず、空き容量Ｂがデータ蓄積部３６に蓄積記憶されている転送対象の製版装置用印刷ファイルデータの容量Ｆ以上の場合に、データ蓄積部３６に蓄積記憶されている転送対象の製版装置用印刷ファイルデータをＢＥＰ２０へ一括して転送させるので、ＲＩＰ２４が製版装置用印刷画像データの生成を連続して行っていた場合にも、空き容量Ｂが常に０に近い状態で推移することを防止することができ、転送対象のプリンタ用印刷ファイルデータの転送をより確実に優先させることができる。なお、上記事項は請求項４記載の発明に対応している。
【００４９】
なお、上記ではプリンタ用印刷ファイルデータの転送を製版装置用印刷ファイルデータの転送よりも常に優先させる例を説明したが、本発明はこれに限定されるものではなく、プリンタ用データと製版装置用データの何れの転送を優先させるかを表す優先データを不揮発性のメモリ等に記憶しておき、データ転送処理（図３）では該優先データが表すデータの転送を優先させる（優先させるデータをメモリ３８に記憶させ、非優先のデータをデータ蓄積部３６に蓄積記憶させる）と共に、優先データの設定をユーザによる印刷システム１０の利用状況等に応じてユーザが変更可能としてもよい。但し、印刷システム１０の利用状況は、プリンタ用印刷ファイルデータの転送を優先させることが適当な利用状況が殆どであるので、上記態様においても優先データのデフォルトは「プリンタ用のデータ優先」であることが望ましい。これにより、ユーザが優先データの設定を変更する必要が生ずる可能性を低減できる。上記事項は請求項５記載の発明に対応している。
【００５０】
また、上記では印刷システム１０にプリンタ１２及び製版装置１６が１台ずつ設けられている例を説明したが、これに限定されるものではなく、プリンタ１２及び製版装置１６の何れか一方又は両方が複数台設けられていてもよい。
【００５１】
また、上記では本発明に係る第２印刷装置の一例として、電子写真プロセスを利用して印刷を行うプリンタ１２を挙げて説明したが、本発明はこれに限定されるものではなく、例えば感熱式や熱転写式、インクジェット式、或いはその他の方式で普通紙や感熱紙上に画像を直接印刷する各種のプリンタを適用可能である。
【００５２】
更に、上記ではＲＩＰ２４で圧縮処理を行ってからＢＥＰ２０にデータを送出し、ＢＥＰ２０では伸張処理を行ってからプリンタ１２又は製版装置１６へ画像データを送信する例を説明したが、上記のような圧縮／伸張は必須ではなく、省略することも可能である。
【図面の簡単な説明】
【００５３】
【図１】本実施形態に係る印刷システムの概略図である。
【図２】ＲＩＰ及びＢＥＰの概略構成を示すブロック図である。
【図３】ＲＩＰの転送制御部で実行されるデータ転送処理の内容を示すフローチャートである。
【符号の説明】
【００５４】
１０  印刷システム
１２  プリンタ
１６  製版装置
２０  ＢＥＰ
３２  ＲＩＰ処理部
３４  圧縮処理部
３６  データ蓄積部
３８  メモリ
４０  Ｉ／Ｆ部
４２  転送制御部
５２  画像記憶部
【図１】
2005258960.tif 000003
【図２】
2005258960.tif 000004
【図３】
2005258960.tif 000005